(57)【要約】【課題】  複数のスクリーンを用いながらかさばらず、したがって、携帯端末に好適に用いることができる表示装置を提供する。【解決手段】  この表示装置は、表示平面に平行に配置された複数のスクリーン（４、６、８、１０）であって、統合表示面を縮小するために、スクリーンのうちの少なくとも２つが重なり合っている引っ込み位置と、統合表示面を増加させるために、スクリーンの重なり合いが軽減または解除されている完全展開位置との間で、表示平面に平行に変位する複数のスクリーン（４、６、８、１０）と、引っ込み位置と完全展開位置との両方において、統合表示面の全面にわたって全体画像を表示するように制御することができるコンピュータ（１２）とを備えている。【選択図】図２
2011008255.tif 000002
【特許請求の範囲】
【請求項１】
−  同一の表示平面に平行に配置された複数のスクリーン（４、６、８、１０）であって、各スクリーンの個別表示面の総計から、個別表示面間で重なり合っている部分がある場合には、かかる部分の面を引いた面に等しい、画像の統合表示面を形成している複数のスクリーン（４、６、８、１０）と、
−  前記統合表示面の全面にわたって全体画像を表示するように、前記スクリーンの各々上への部分画像の表示を制御することができるコンピュータ（１２）
とを備えている表示装置であって、
−  前記表示装置は、前記統合表示面を縮小するために、前記スクリーンのうちの少なくとも２つが重なり合っている引っ込み位置と、前記統合表示面を増加させるために、前記スクリーンの重なり合いが軽減または解除されている完全展開位置との間で、前記表示平面に平行に前記スクリーンを変位させるための変位メカニズム（２０）を、さらに備えていること、並びに
−  前記コンピュータは、前記引っ込み位置と前記完全展開位置との両方において、前記統合表示面の全面にわたって全体画像を表示するように制御することができること
を特徴とする表示装置。
【請求項２】
前記スクリーンの位置を測定することができる少なくとも１つのセンサ（１６）、および該測定されたスクリーンの位置に、画像の表示を自動的に適合させることができるコンピュータ（１２）を備えている、請求項１に記載の表示装置。
【請求項３】
前記コンピュータ（１２）は、前記引っ込み位置と前記完全展開位置との両方において、前記統合表示面の全面にわたって、同一の全体画像を表示するように制御することができる、請求項１または２に記載の表示装置。
【請求項４】
互いに相対的に変位することができる、少なくとも３つのスクリーン（４、６、８、１０）、およびそれらのスクリーンの変位の間に相関を与えることができる同期メカニズム（５０）を備えている、請求項１〜３のいずれか１つに記載の表示装置。
【請求項５】
前記引っ込み位置と前記完全展開位置との中間の少なくとも１つの中間位置に、前記スクリーンの位置をロックするためのメカニズム（６０）を備えている、請求項１〜４のいずれか１つに記載の表示装置。
【請求項６】
−  統合表示面を縮小するために、少なくとも２つのスクリーンが重なり合っている引っ込み位置と、前記統合表示面を増加させるために、前記スクリーンの重なり合いが軽減または解除されている完全展開位置との間で、表示平面に平行に前記スクリーンを変位させるステップと、
−  前記引っ込み位置と前記完全展開位置との両方において、前記統合表示面の全面にわたって全体画像を表示するように制御するステップ（７２）
とを含むことを特徴とする、請求項１〜５のいずれか１つに記載の表示装置上に画像を表示する方法。
【請求項７】
−  前記スクリーンの位置を測定するステップ（７０）と、
−  該測定されたスクリーンの位置から、前記スクリーンの変位を検出するステップ（７４）と、
−  それに応じて、各部分画像を表示するための新しい制御を自動的に開始するステップ
とを含む、請求項６に記載の方法。
【請求項８】
前記引っ込み位置と前記完全展開位置との両方において、前記統合表示面の全面にわたって、同一の全体画像を表示するように制御するステップを含む、請求項６または７に記載の方法。
【請求項９】
電子的なコンピュータによって実行されたときに、請求項６〜８のいずれか１つに記載の方法を遂行する命令を備えていることを特徴とする情報記録媒体。
【発明の詳細な説明】
【技術分野】
【０００１】
本発明は、表示装置、およびこの表示装置による表示方法に関する。本発明は、さらに、この表示方法を遂行するための情報記録媒体に関する。
【背景技術】
【０００２】
現在、ファイリングの関係者には、次のものを備えている表示装置は公知である。
−  同一の表示平面に平行に配置された複数のスクリーンであって、各スクリーンの個別表示面の総計から、個別表示面間で重なり合っている部分の面（それがあるとすれば）を引いた面と等しい画像の統合表示面を形成している複数のスクリーンと、
−  統合表示面の全面にわたって全体画像を表示するように、各スクリーンの上における部分画像の表示を制御することができるコンピュータ。
【０００３】
公知のこのような表示装置においては、スクリーンは、なんらの自由度もないようにして、相互に固定されている。より詳細に述べると、スクリーンは、個別の表示面が重なり合わないように、互いに隣接して位置している。
【０００４】
これらの表示装置は、いくつかの個別表示面を用いて、大きな総表示面を得るために利用される。しかしながら、このような表示装置は非常にかさばる。したがって、このような表示装置を携帯端末に用いることは非常に難しい。
【発明の概要】
【発明が解決しようとする課題】
【０００５】
本発明は、従来技術のこのような欠点を克服することを目的としている。
【課題を解決するための手段】
【０００６】
この目的を達成するために、本発明は、次のような表示装置を提供するものである。
−  スクリーンは、統合表示面を縮小するために、スクリーンのうちの少なくとも２つが重なり合っている引っ込み位置と、統合表示面を増加させるために、スクリーンの重なり合いが軽減または解除されている完全展開位置との間で、表示平面と平行に変位することができ、
−  コンピュータは、引っ込み位置と完全展開位置との両方において、統合表示面の全面にわたって、全体画像を表示するように制御することができる。
【０００７】
引っ込み位置へのスクリーンの変位が可能であることによって、表示装置の要求空間は縮小される。これは、引っ込み位置への表示装置の変位の際に有用である。
【０００８】
逆に、展開位置へのスクリーンの変位が可能であるため、表示装置の使用中、より大きな統合表示面を得ることができる。
【０００９】
この表示装置の実施形態においては、次の特性のうちの１つ以上を備えていてもよい。
・  この表示装置は、スクリーンの位置を測定することができる少なくとも１つのセンサ、および測定されたスクリーンの位置に、画像の表示を自動的に適合させることができるコンピュータを備えている。
・  コンピュータは、引っ込み位置と完全展開位置との両方において、統合表示面の全面にわたって、同一の全体画像を表示するように制御することができる。
・  表示装置は、互いに相対的に変位することができる、少なくとも３つのスクリーン、およびそれらのスクリーンの変位の間に相関を与えることができる同期メカニズムを備えている。
・  表示装置は、引っ込み位置と完全展開位置との中間の少なくとも１つの中間位置に、スクリーンの位置をロックするためのメカニズムを備えている。
【００１０】
さらに、表示装置のこれらの実施形態は、次の長所を有している。
−  スクリーンの位置を検出するためのセンサを用いることによって、画像の表示をスクリーンの位置に自動的に適合させることができ、したがって、この表示装置の使用方法が簡単になる。
−  可変サイズの統合表示面の全面にわたって、同一の画像を表示することにより、統合表示面を拡大して、画像のサイズを拡大する新しい方法が、ユーザに提供される。
−  同期メカニズムを用いることによって、例えば統合表示面の幅と高さの比を、あらかじめ定められた値とすることができる。
−  中間位置をロックするためのメカニズムを用いることによって、統合表示面を、ユーザの希望に、より容易に適合させることができる。
【００１１】
本発明は、さらに、上述の表示装置上に画像を表示するための、次のステップを含む方法を提供するものである。
−  引っ込み位置と完全展開位置との両方において、統合表示面の全面にわたって、全体画像を表示するように制御するステップ。
【００１２】
この表示の方法の実施形態は、次の特性を備えていてもよい。
・  この方法は、次のステップを含んでいる。
−  スクリーンの位置を測定するステップと、
−  測定されたスクリーンの位置から、スクリーンの変位を検出するステップと、
−  それに応じて、各部分画像を表示するための新しい制御を自動的に開始するステップ。
・  この方法は、引っ込み位置と完全展開位置との両方において、統合表示面の全面にわたって、同一の全体画像を表示するように制御するステップを含んでいる。
【００１３】
表示の方法のこれらの実施形態は、さらに次の長所を有している。
−  スクリーンの変位を検出することによって、新しく得られた統合表示面に自動的に適合した画像が得られる。
【００１４】
最後に、本発明は、電子的なコンピュータによって実行されたときに、上述の表示の方法を遂行する命令を備える情報記録媒体を提供するものである。
【図面の簡単な説明】
【００１５】
【図１】引っ込み位置における、複数のスクリーンを装備した表示装置を示す図である。
【図２】中間位置における、図１の表示装置を示す図である。
【図３】完全展開位置における、図１の表示装置を示す図である。
【図４】図１の表示装置のスクリーンを変位させる変位メカニズム、および変位を同期させるための同期メカニズムの概略図である。
【図５】図１の表示装置のスクリーンの位置をロックする方法を示す概略図である。
【図６】図１の表示装置のスクリーン上に全体画像を表示する方法のフローチャートである。
【発明を実施するための形態】
【００１６】
添付図面を参照して、単に例示の目的で示す以下の説明を読むことによって、本発明を、より明瞭に理解しうると思う。
【００１７】
図面において、同一の要素には、同一の符号を付してある。
【００１８】
以下の記載において、当業者に周知の特性および機能については、詳細に説明しない。
【００１９】
図１は、互いに対して相対的に、表示平面と平行に変位することができる４つのスクリーン４、６、８、１０を装備した表示装置２を示す。表示平面は、水平方向であるＸ方向、およびＸ方向と直交する垂直方向であるＹ方向とを有している。図１においては、スクリーン４、６、８、１０は、引っ込み位置の状態で示されている。この引っ込み位置においては、各スクリーンの表示面は、互いにほとんど完全に重なり合っている。例えばＺ方向から見たとき、各スクリーン６、８、１０の個別表示面の少なくとも９０％は、覆い隠されている。スクリーンの個別表示面は、画像を表示することができる、スクリーンの最大表示面である。これらの個別表示面は、表示平面と平行に延在している。
【００２０】
各スクリーン４、６、８、１０は、平面スクリーンである。これらの平面スクリーンは、可能な限り薄いことが好ましい。例えばＸ方向およびＹ方向に直交するＺ方向の各スクリーンの厚さは、そのスクリーンの対角線の長さの１／１０未満である。各スクリーンの厚さは、５ｃｍ以下、または２ｃｍ以下であることが好ましく、さらには、５ｍｍ以下または３ｍｍ以下であることがより好ましい。このようにするために、スクリーン４、６、８、１０は、例えばＯＬＥＤ（有機発光ダイオード）スクリーンである。
【００２１】
統合表示面が、これらのスクリーン４、６、８、１０の各々の個別表示面の総計から、個別表示面間で重なり合っている部分の面を引いた面と等しくなるように、これらのスクリーン４、６、８、１０は、互いに対して相対的に配置されている。
【００２２】
個別表示面が重なり合うことができるように、各スクリーン４、６、８、１０は、表示平面と平行に変位することができるそれぞれの最大変位可能平面内に位置している。これらの最大変位可能平面は、Ｚ方向に順に並んでいる。
【００２３】
スクリーン４は、Ｚ方向において、最も前面に位置するスクリーンである。このスクリーン４は、表示装置２のフレームに固定されている。
【００２４】
スクリーン６、８、１０のそれぞれの最大変位可能平面は、その一部分が、Ｚ方向において、スクリーン４の背後に位置している。例えばスクリーン４、６、８、１０は、スクリーン４、スクリーン６、スクリーン８、スクリーン１０の順に、Ｚ方向に沿って並んでいる。
【００２５】
この実施形態においては、スクリーン６、８は、それぞれＹ方向、Ｘ方向に沿って、一方向に並進変位することができるだけである。スクリーン１０は、Ｘ方向およびＹ方向に対して４５°の角度をなすＵ方向に沿って、その最大変位可能平面内を並進変位することができるだけである。
【００２６】
さらに表示装置２は、スクリーン４、６、８、１０の各々に接続された、プログラム可能な電子的なコンピュータ１２を有している。このコンピュータ１２は、表示されるべき全体画像を、いくつかの部分画像に分割し、かつこれらの部分画像の各々を、スクリーン４、６、８、１０のいずれか１つ上に表示するように制御することができる。より詳細には、コンピュータ１２は、図６の方法を遂行することができる。その遂行のために、コンピュータ１２は、コンピュータ１２によって実行されたときに、図６の方法を遂行する命令を記憶しているメモリ１４に接続されている。
【００２７】
コンピュータ１２は、さらに、それぞれＹ方向、Ｘ方向、Ｕ方向に沿うスクリーン６、８、１０の位置を検出するセンサ１６に接続されている。
【００２８】
図２は、スクリーン４、６、８、１０が、図１に示されている引っ込み位置と、図３に示されている完全展開位置との中間の中間位置にある状態の表示装置２を示している。この中間位置においては、Ｚ方向から見たときに、スクリーン４、６、８、１０の個別表示面は、部分的に重なり合っている。しかしながら、この場合に重なり合っている面積は、スクリーン４、６、８、１０が引っ込み位置にある場合に重なり合っている面積よりも小さい。
【００２９】
図２において、スクリーン４の背後に位置しているスクリーン６の個別表示面の輪郭が、破線によって示されている。スクリーン４および６の背後に位置しているスクリーン８の個別表示面の輪郭は、一連の点からなる線によって示されている。最後に、スクリーン４、６および８の背後に位置しているスクリーン１０の輪郭は、一連のＸ記号からなる線によって示されている。
【００３０】
図３は、スクリーン４、６、８、１０が完全展開位置にある状態の表示装置２を示している。この完全展開位置においては、Ｚ方向から見たときに、スクリーン４、６、８、１０の個別表示面は、互いに重なり合っておらず、互いに隣接している。
【００３１】
この場合には、スクリーン４、６、８、１０は、外部から全て同一に見える。
【００３２】
図４は、スクリーン６、８、１０を、それぞれＹ方向、Ｘ方向、Ｕ方向に沿って変位させるための変位メカニズム２０の実行可能な例を示している。この実施形態においては、変位メカニズム２０は、スライドレールおよびスライダで構成されている。より詳細に述べると、変位メカニズム２０は、次のものを備えている。
−  Ｘ方向に平行な軸２６に沿って、内部をスライダ２４がスライドするスライドレール２２と、
−  Ｙ方向に平行な軸３２に沿って、内部をスライダ３０がスライドするスライドレール２８と、
−  Ｕ方向に平行な軸４０に沿って、内部をスライダ３８がスライドするスライドレール３６。
【００３３】
スライドレール２２、２８、３６は、全く自由度なしに、表示装置２のフレームに取り付けられている。スライドレール２２、２８、３６は、それぞれ、スクリーン８、６、１０の最大変位可能平面内に位置している。
【００３４】
スクリーン６、８、１０は、全く自由度なしに、それぞれスライダ３０、２４、３８の自由端４２、４３、４４に取り付けられている。
【００３５】
図４には、さらに、単に例示の目的だけで、表示装置２のフレームにスクリーン４を取り付けるための取り付け点４５を示してある。
【００３６】
図４は、さらに、スクリーン６、８、１０の変位を、互いに同期させるための同期メカニズム５０を示している。この同期メカニズム５０によって、スクリーン６、８、１０は、それぞれＹ方向、Ｘ方向、Ｕ方向に沿って、相互依存的に、すなわち互いに相関的に変位する。例えばスクリーン６、８、１０の位置に関わりなく、統合表示面の高さに対する幅の比が一定になるように、同期メカニズム５０は作られている。
【００３７】
一例として、同期メカニズム５０は、２つの自由端４３と４４との間で、Ｙ方向に沿って延びる垂直のレール５２を備えている。同期メカニズム５０は、さらに、２つの自由端４２と４４との間で、Ｘ方向に沿って延びる水平のレール５４を備えている。これらのレール５２および５４は、スクリーン６、８、１０の、それぞれの最大変位可能平面内の変位を妨げないように、自由端４２、４３、４４に固定されている。例えばレール５２および５４は、スクリーン６、８、１０の外周上、または外周を越えて位置している。
【００３８】
これらのレール５２および５４は、スライダ２４および３０を、それぞれＸ方向およびＹ方向に沿って変位させるために、自由端４４をＵ方向に引っ張ったときに発生する張力に抗することができるような、十分な剛性を有している。これらのレール５２および５４は、それぞれ例えばスライドレールとスライダとによって構成されていてもよい。
【００３９】
図５は、スクリーンの位置をロックするためのロッキングメカニズムを示している。このロッキングメカニズム６０により、スクリーン６、８、１０の並進運動をロックして、スクリーン６、８、１０を、引っ込み位置、または完全展開位置、または図２に示されているようないくつかの中間位置に保持することができる。
【００４０】
例えばロッキングメカニズム６０は、スライダ２４の、スライドレール２２内に位置する端部に形成されたボス６２を備えている。このボス６２は、スライドレール２２に形成されたトラフ６４と協働して、スクリーン８の位置をロックする。ボス６２は、板ばね６６によって、トラフ６４の内部に押し付けられている。一連のトラフが、Ｘ方向に沿って設けられており、引っ込み位置と完全展開位置との中間のいくつかの中間位置に、スクリーン８をロックすることができる。
【００４１】
スクリーン１０および６の位置をロックするために、ロッキングメカニズム６０のようなロッキングメカニズムを、それぞれＵ方向およびＹ方向に沿って設けることもできる。しかしながら、本発明の場合においては、変位を同期させるための同期メカニズム５０を用いることによって、スクリーン８の位置をロックすると、スクリーン６および１０の位置もロックされるから、そのような必要はない。
【００４２】
次に、図６に示す方法を参照して、表示装置２の動作を、より詳細に説明する。
【００４３】
スクリーンは、初期状態において、図１に示されている引っ込み位置にあると仮定する。
【００４４】
これらのスクリーンは、ユーザによって、引っ込み位置から完全展開位置まで変位可能である。これを可能にするために、ユーザは、例えばスクリーン１０をＵ方向に引っ張ることによって、Ｙ方向、Ｘ方向、Ｕ方向に沿う、それぞれのスクリーン６、８、１０の変位を同期させることができる。
【００４５】
ステップ７０において、センサ１６は、スクリーン６、８、１０のうちの少なくとも１つの、各時刻における位置を測定する。この位置は、リアルタイムに、コンピュータ１２に伝達される。
【００４６】
同時に、ステップ７２において、コンピュータ１２は、表示されるべき全体画像を、存在するスクリーン数と同数の部分画像に分割する。この分割は、部分画像の各々が、対応するそれぞれのスクリーン上に表示されたときに、全体画像が統合表示面の全面にわたって、すなわち統合表示面の９０％を超過し、かつ最大１００％までの面上に表示されるように行われる。ステップ７２において、全体画像の、部分画像への分割は、スクリーンの測定された位置、および各スクリーンの個別表示面の既知サイズに基づいて行われる。
【００４７】
一例として、全体画像の分割のために、最初に、スクリーンの位置に基づいて、Ｘ方向およびＹ方向において利用可能なピクセル数が特定される。利用可能なピクセルとは、Ｚ方向から見たときに、前面に位置しているスクリーンによって覆い隠されないピクセルである。スクリーンが、完全展開位置に向かって変位するにつれて、利用可能なピクセルの総数は増加する。利用可能なピクセルの総数は、１（全てのスクリーンが最大に重ね合わされている時）〜４（最大拡張時）の比率で変化する。各位置において、コンピュータは、その位置において利用可能なピクセル数に応じて、表示されるべき全体画像の最良の分割を決定する。ソース画像の同一点を表示するために、スクリーンの利用可能な２つ以上のピクセルを用いることもある。この際に遂行される演算は、与えられたソース画像を、可変規模のスクリーン（すなわち、Ｘ方向および／またはＹ方向に沿ったピクセル数が可変であるスクリーン）上に表示しなければならないか、そうでなければ、可変解像度のソース画像を、与えられた解像度のスクリーン上に表示しなければならない当業者によって遂行される演算に準ずる。
【００４８】
分割が行われると、ステップ７２において、コンピュータ１２は、統合表示面の全面にわたって全体画像を表示するために、分割された各部分画像を、対応するスクリーン上に表示するように制御する。
【００４９】
ステップ７２は、新しい画像が表示されるたびに反復される。
【００５０】
ステップ７４において、コンピュータ１２は、スクリーン６、８、１０の変位を検出するために、これらのスクリーンの測定された位置を用いる。例えばコンピュータ１２は、新しく測定された位置と、前に測定された位置とを比較する。変位が検出されなかった場合には、この方法はステップ７０に戻る。
【００５１】
変位が検出された場合には、ステップ７２において、コンピュータは、現在表示されている画像のサイズを、スクリーンの変位が検出された後に得られた新しい統合表示面に自動的に適応させる。
【００５２】
したがって、コンピュータ１２が、表示されている画像を、常に、現在利用可能な統合表示面の全面を占めるように画像処理するから、ユーザが統合表示面を拡げると同時に、表示されている画像のサイズが拡大される。したがって、ユーザにとっては、全体画像の一要素または一部分を拡大表示する必要なく、画像のサイズを拡大することができる新しい方法が得られる。
【００５３】
コンピュータ１２は、さらに、スクリーンがどのような位置にあろうとも、統合表示面上に全体画像を表示させる。
【００５４】
多くの別の実施形態が可能である。特に、スクリーンを変位させるための変位メカニズムに関して、多くの別の実施形態が可能である。例えばこの変位メカニズムに、必ずしも、スライドレールおよび／またはスライダを組み込む必要はない。
【００５５】
Ｘ方向およびＹ方向に沿う変位が、互いに独立して行われるように、変位メカニズムを作ることができる。このようにするために、例えばスライドレール３６の端部が、Ｚ方向に平行な回転軸を有する第１の枢動リンクによって、表示装置２のフレームに固定される。例えばこの回転軸は、図２に示されている取り付け点４５を通る。次に、スライダ３８が、やはりＺ方向に平行な回転軸を有する第２の枢動リンクによって、スクリーン１０および同期メカニズム５０に固定される。
【００５６】
同様に、スクリーンの位置をロックするために、別のロッキングメカニズムとすることも可能である。例えばスタッドまたはロックスクリューを用いて、スクリーンの位置をロックすることができる。ロッキングメカニズムは、必ずしも、引っ込み位置と完全展開位置との中間位置をロックすることができる必要はないが、できることが望ましい。
【００５７】
多くの平面スクリーンを用いることができる。例えばＯＬＥＤスクリーンではなく、電気泳動スクリーンを用いることができる。この電気泳動スクリーンは、上部透明層と下部層との間に詰め込まれた黒ビーズ−白ビーズの混合物をベースとするものであってもよい。黒ビーズは、例えば正極性を有しており、白ビーズは、例えば負極性を有している。下部層の下に、電極が配置されている。電極に電圧が印加されると、電極は、例えば正極性のビーズを引き付け、負極性のビーズを遠ざける。したがって、これによって、内側層の近傍に黒ビーズが集中し、上部透明層の近傍に白ビーズが集中する。したがって、この方法により、黒ピクセルと白ピクセルとから成る色を調整し、画像を明確に示すことができる。このような電気泳動スクリーンは、双安定性であり、したがって、電力を消費することなく、画像を表示し続ける。
【００５８】
必要に応じて、ＬＣＤ（液晶ディスプレイ）スクリーンを用いることができる。
【００５９】
スクリーンとして、タッチスクリーンを用いることもできる。
【００６０】
表示装置を作るために、全てのスクリーンが同じサイズを有する必要はない。相異なるサイズのスクリーンを用いてもよい。さらに、各スクリーンはそれぞれに、図示されているような矩形の個別表示面を有する必要は必ずしもない。個別表示面は、例えばダイヤモンド形状であっても、三角形形状であっても、または、鋭角または鈍角を有する他の形状であってもよい。
【００６１】
複数のスクリーンは、一方向にのみ変位しうるものでもよいし、またそれと対照的に、同一直線状にないいくつかの方向に沿って変位することができるものでもよい。さらに、同一のスクリーンが、例えばいくつの方向に引っ張られるかにより、いくつかの相異なる方向に移動するものであってもよい。
【００６２】
スクリーンの変位を同期させる手段は、省略してもよい。
【００６３】
スクリーンの数は変更してもよい。スクリーンの数は、２以上でなければならないが、５以上、例えば９以上であってもよい。
【００６４】
スクリーン間ｐの互いに相対的な変位を、モータ駆動で行ってもよい。この場合には、スクリーンの変位を同期させるための同期メカニズムは、アクチュエータを用いて、スクリーンの変位を適切に制御することによって得られる。
【００６５】
センサ１６は省略してもよい。その場合には、画像のサイズを手動で調整するためのモジュールを、表示装置２内に設ける。
【００６６】
さらに、一変形例として、表示されている全体画像の内容を、センサによって測定されたスクリーンの位置に応じて変更することもある。例えば、引っ込み位置においては、画像を、単に、統一表示面の全面を占める初期説明によって構成する。完全展開位置においては、表示されている全体画像は、補足説明で補った同じ初期説明を有している。例えば補足説明は、統合表示面のうちの、完全展開位置に変位することによって現れる補足部分に配置される。統合表示面上に表示される初期説明の大きさは、引っ込み位置と完全展開位置とで同じであることが望ましい。そのようにすると、完全展開位置へのスクリーンの変位によって、補足説明へのアクセスが得られる。これを、街の中心部および郊外の地図の参照に適用することができる。初期説明は、街の中心部のみの地図である。補足説明は、郊外の地図である。この適用においては、スクリーンを、その引っ込み位置から完全展開位置に変位させることによって、ユーザは、より多くの情報、すなわち郊外の地図にアクセスすることができる。
【００６７】
表示されている全体画像を、スクリーンの位置に応じて変更する別の１つの手法は、スクリーンの位置がどうであれ、初期説明が統合表示面の９０％を超過する面積を占めるように、スクリーンの変位の方向（１つ以上の）に、初期説明のサイズを拡げることである。
【００６８】
携帯電話またはラップトップコンピューターなどの携帯端末に、表示装置２を用いることができる。さらに、テレビジョンセットなどの固定端末を得るために、表示装置２を実装することもできる。
【符号の説明】
【００６９】
２  表示装置
４、６、８、１０  スクリーン
１２  コンピュータ
１４  メモリ
１６  センサ
２０  変位メカニズム
２２、２８、３６  スライドレール
２４、３０、３８  スライダ
２６、３２、４０  軸
４２、４３、４４  自由端
４５  取り付け点
５０  同期メカニズム
５２、５４  レール
６０  ロッキングメカニズム
６２  ボス
６４  トラフ
６６  板ばね
【図１】
2011008255.tif 000003
【図２】
2011008255.tif 000004
【図３】
2011008255.tif 000005
【図４】
2011008255.tif 000006
【図５】
2011008255.tif 000007
【図６】
2011008255.tif 000008
【外国語明細書】
2011008255000001.pdf